(57)【要約】【課題】近年普及している大型育苗器で、収納する苗箱枚数が育苗器の最大苗箱収納枚数より少ない枚数の場合にも無駄な空間が発生しない最適な育苗器収納室容積を任意に設定出来る育苗器を提供する。【解決手段】育苗器本体Ａを構成する立方枠組構造からなる器枠１の下部に、器枠長尺方向下部へ等間隔ごと育苗器本体収納室内温度を均一に保つ加温装置Ｂを複数配設し、器枠１底面を除く全面を着脱自在な断熱材料よりなる保温カバー６で被覆し、該保温カバー６内壁面に着脱自在な断熱材料よりなる保温間仕切カバー１４を取付可能な取付部材１３を育苗器本体収納室の加温装置Ｂ間隔にそって設けてあり、該保温間仕切カバー１４を該取付部材１３に取付て該収納室を区切り、育苗器本体収納室容積を任意に変更する。【選択図】図４
2005328737.tif 000002
【特許請求の範囲】
【請求項１】
育苗器本体を構成する立方枠組構造からなる器枠の下部に、器枠長尺方向下部へ等間隔ごとに収納室内温度を均一に保つ加温装置を複数配設し、器枠底面を除く全面を着脱自在な断熱材料よりなる保温カバーで被覆した育苗器において、該収納室の全容積を加温装置間隔にそって着脱自在な保温カバーで区切り、収納室容積を任意に変更出来ることを特徴とする育苗器。
【発明の詳細な説明】
【技術分野】
【０００１】
本発明は育苗器における育苗箱収納室に関する。
【背景技術】
【０００２】
従来知られている育苗器の構成は、育苗器本体を構成する立方枠組構造からなる器枠の下部に、段積み苗箱を乗載支持する苗箱台を並設したフレームを設け苗箱収納室にし、該フレームの間口側略中央部の下方に加温装置を配設するとともに、該器枠底面を除く全面に断熱材料よりなる保温カバーで被覆し、該加温装置から発せられる熱で該苗箱収納室を所定の温度に高め保温し育苗を行うものであった。
【０００３】
しかし、近年の農業事情から年々一度に行う育苗の量が増加しており、それに伴い大型の育苗器が求められるようになったが、上記のような間口側略中央部の下方に加温装置を配設した育苗器の構成では該器枠長尺方向のみが大きく広がり、加温装置から距離が離れている部分は熱が伝わりにくく、また冷えやすくもあり、苗箱収納室内を温度のムラなく温めることが非常に困難であるので、大型にした器枠長尺方向を等間隔に複数区切り、そのそれぞれ区切った器枠の略下方中央部にそれぞれ加温装置を設けることにより温度ムラのない育苗を行っていた。
【０００４】
しかし、上記のような大型育苗器はたしかに大量の育苗を一度に行う事はできるが、該育苗器の最大苗箱収納枚数分を任意の回数行ったが、残りの最終回分の苗箱枚数が最大苗箱収納枚数に満たない場合や、前年より必要育苗枚数が減少した時、たとえば苗箱収納室全容積の１／３の容積しか必要としない無駄な空間が発生しても収納室容積は変更出来ないため、必然的にその無駄な空間も温めることとなり、当然温度ムラが発生しやすくなり育苗の失敗を招くおそれがあるし、なによりも電気・熱エネルギーの無駄ということが上述の育苗器の欠点である。
【０００５】
この欠点の直接関わる改善策ではないが、特許文献１の育苗器は苗箱収納室に間仕切部材を配設し、見かけ上該苗箱収納室を区切ったようにしてあるものが存在するが、これは主に苗箱収納室内の温度を一定に保つ役目であって、図面から該間仕切部材は隙間が多く見られ、完全に独立した空間ではなく、本発明のような効果は決して得られないものである。
【特許文献１】実開昭６２−１４４４６８号公報
【発明の開示】
【発明が解決しようとする課題】
【０００６】
解決しようとする問題点は、近年普及している大型育苗器は状況に応じて育苗箱収納室容積を任意に変更出来ないことである。
【０００７】
本発明は、このような問題点を考慮してなされたもので、収納する苗箱枚数が育苗器の最大苗箱収納枚数より少ない枚数の場合にも無駄な空間が発生しない最適な苗箱収納室容積を任意に設定出来る育苗器を提供することを課題とする。
【課題を解決するための手段】
【０００８】
前述の課題を解決するため本発明は、特許請求の範囲の請求項に記載の手段を採用する。
【０００９】
即ち、請求項１では、育苗器本体を構成する立方枠組構造からなる器枠の下部に、器枠長尺方向下部へ等間隔ごとに収納室内温度を均一に保つ加温装置を複数配設し、器枠底面を除く全面を着脱自在な断熱材料よりなる保温カバーで被覆した育苗器において、該収納室の全容積を加温装置間隔にそって着脱自在な保温カバーで区切り、収納室容積を任意に変更出来ることを特徴とする育苗器。
【００１０】
この手段では、着脱自在な保温カバーで苗箱収納室空間を小さく、しかも熱が逃げないように着脱部の隙間が最小になるような着脱手段で区切ったので、必要とされる苗箱収納室容積を容易に確保出来る。
【発明の効果】
【００１１】
本発明に係わる育苗器は、育苗器本体を構成する立方枠組構造からなる器枠の下部に、器枠長尺方向下部へ等間隔ごとに収納室内温度を均一に保つ加温装置を複数配設し、器枠底面を除く全面を着脱自在な断熱材料よりなる保温カバーで被覆した育苗器において、該収納室の全容積を加温装置間隔にそって着脱自在な保温カバーで区切り、収納室容積を任意に変更出来ることで、苗箱枚数に応じた収納室容積をその都度確保出来、収納室容積の無駄な空間を最小限にすることで温度ムラを無くし、さらに無駄な電気・熱エネルギーの消費を抑えることで省エネルギーにも貢献できる効果がある。
【発明を実施するための最良の形態】
【００１２】
以下、本発明に係わる育苗器を実施するための最良の形態を図面に基づいて説明する。
【実施例】
【００１３】
図１は、本発明育苗器の最大苗箱収納枚数を収納し、かつ器枠１長尺方向を等間隔に複数区切り、それぞれ区切った器枠の略下方中央部に配設した加温装置Ｂから発せられる熱で育苗を行っている状態の図である。尚、本図面実施例では育苗器本体Ａの収納室を二つに区切っているが、もちろん三つ、四つ、それ以上と区切ってもよい、しかし育苗器本体はさらに大型になってゆく。
【００１４】
さらに詳しく説明すると、立方枠組構造からなる器枠１の下部に、段積み苗箱２を乗載支持する苗箱台３を並設したフレーム４を設け、この器枠１の長尺方向下部へ等間隔ごとに育苗器本体Ａの収納室内温度を均一に保つ、間口巾が小さく奥行きが長尺で、かつ、加熱手段を持つ加温装置Ｂを複数配設し、器枠１底面を除く全面を着脱自在な断熱材料よりなる保温カバー６で被覆してある。
【００１５】
尚、該加温装置Ｂの加熱手段として本実施例では電熱ヒータ７を使用しているが、石英ヒータ、ＩＨヒータ等を利用しても構わない。
【００１６】
さらに、本実施例の加温装置Ｂは湯槽１０に水１２を適量入れ、該水１２に電熱ヒータ７を水没させ、該電熱ヒータ７から発せられる熱で水１２を温め、育苗器本体第一収納室Ｃおよび第二収納室Ｃ’内に加温水蒸気を発生させて、該収納室内を所定の温度に保温し、種籾等の健全な発芽、育苗を行う、通称温水育苗を行っているが、もちろん他の育苗方法、たとえば温熱育苗等でも構わない。
【００１７】
保温カバー６には、苗箱２を第一収納室Ｃおよび第二収納室Ｃ’に出し入れするための出入り口をファスナー１６で開閉するように構成している。図３参照。
【００１８】
また、保温カバー６の内壁面に、外気との温度差により発生した結露を湯槽１０に回収するための案内部材として、還水部材９を上面および底面を除いた四面すべてに設けている。湯槽１０内に設けた電熱ヒータ７の加熱により発散される上昇加熱蒸気が該保温カバー６の内壁面に、外気との温度差により発生した結露は、該還水部材９を介して回収斜板８に至り湯槽１０内に誘導回収される。
【００１９】
さらに、保温カバー６の内壁面、本実施例ではほぼ中央寄りに着脱自在な断熱材料よりなる保温間仕切カバー１４を取り付けるための取付部材１３を固着してある。該取付部材１３は本実施例ではマジックテープ（登録商標）を利用しているが、もちろんファスナー等の着脱自在で繰り返し使用が可能な部材を利用してもよい。
【００２０】
連結部材１１は器枠１を構成する部材を連結固定している。さらに該連結部材１１は回収斜板８の器枠１間の構造上の隙間５に発生する結露を誘導案内する役目もある。
【００２１】
図２は、図１の一部断面側面図で、育苗器の屋根の高さが傾斜しているのは屋根の高い方から低い方へ結露水を案内させるためのもので、図面では左側、即ち屋根の高い方の器枠１の長尺方向面が苗箱２の出入り口となっており、出入り口に集まる結露水を最小限にする目的がある。
【００２２】
図３は、本実施例の一部簡略斜視図である。
【００２３】
図４は、本発明育苗器、保温カバー６の内壁面に固着してある取付部材１３に保温間仕切カバー１４を取付、第一収納室Ｃと第二収納室Ｃ’を合わせた最大苗箱収納枚数約半分の枚数が収納できる収納室容積に変更した実施図である。
【００２４】
もちろん、該保温間仕切カバー１４と取付部材１３との接合面の隙間は最小限であり、さらに前述の還水部材９と同様の効果を持っている事が前提であるし、苗箱２の収納されていない第二収納室Ｃ’側の加温装置Ｂ内電熱ヒータ７にはもちろん通電はしていないので熱は発生しない、だから電気・熱エネルギーの無駄が無い。
【産業上の利用可能性】
【００２５】
本発明を利用すると、苗箱収納室の全容積を加温装置間隔にそって着脱自在な保温カバーで区切り、収納室容積を任意に変更出来ることで、育苗箱枚数に応じた収納室容積をその都度確保出来、収納室容積の無駄な空間を最小限にすることで温度ムラを無くし、さらに無駄な電気・熱エネルギーの消費を抑えることで省エネルギーにも貢献できる。  
【図面の簡単な説明】
【００２６】
【図１】本発明の一部断面正面図である。
【図２】本発明の一部断面側面図である。
【図３】本発明の一部簡略斜視図である。
【図４】本発明の一部断面正面実施例図である。
【符号の説明】
【００２７】
Ａ      育苗器本体
Ｂ      加温装置
Ｃ      第一収納室
Ｃ’    第二収納室
１      器枠
２      苗箱
３      苗箱台
４      フレーム
５      隙間
６      保温カバー
７      電熱ヒータ
８      回収斜板
９      還水部材
１０    湯槽
１１    連結部材
１２    水
１３    取付部材
１４    保温間仕切カバー
１５    ファスナー
【図１】
2005328737.tif 000003
【図２】
2005328737.tif 000004
【図３】
2005328737.tif 000005
【図４】
2005328737.tif 000006